(57)【要約】【課題】  効率よく波面収差の補正を行うことができ、指定位置での眼底画像の取得をスムーズに行うことのできる眼底撮影装置を提供する。【解決手段】  眼底撮影装置は、照明光にて照明された眼底からの反射光を受光素子で受光して眼底の撮影画像を得る撮影光学系と眼底の反射光に含まれる波面収差を検出して波面収差を補正する波面補償部を有する撮影ユニットと、眼底の撮影位置を指定する指定手段と、指定手段で指定された撮影位置を撮影するため撮影ユニットを制御する制御手段とを備え、制御手段は指定された撮影位置が撮影可能とされるまでは波面補償部による補正を行わない制御をする。【選択図】      図５
2013154063.tif 000002
【特許請求の範囲】
【請求項１】
光源から発せられた照明光を被検者眼の眼底に対して照射し、眼底からの反射光を受光素子で受光して眼底の撮影画像を得る撮影光学系と，眼底からの反射光に含まれる波面収差を検出して検出結果に基づき波面収差を補正するための波面補償部とを備える撮影ユニットと、
眼底における撮影位置を指定するための指定手段と、
該指定手段で指定された撮影位置を撮影するように前記撮影ユニットを制御する制御手段であって，前記指定された撮影位置が撮影可能とされるまでは前記波面補償部による前記補正を行わないように制御する制御手段と、を備えることを特徴とする眼底撮影装置。
【請求項２】
請求項１に記載の眼底撮影装置において、前記撮影ユニットは、第１光源から発せられた照明光を被検者眼の眼底に対して局所的に照射し、前記波面補償部により波面補正された眼底からの反射光を受光素子で受光して眼底の第１撮影画像を細胞レベルで得る第１撮影光学系と、前記眼底上の前記第１撮影画像の撮影位置を指定するために，前記第１撮影画像より広画角の第２撮影画像を撮影する第２撮影光学系と、を含むことを特徴とする眼底撮影装置。
【請求項３】
請求項２に記載の眼底撮影装置は、前記指定手段で指定された撮影位置に合わせて前記第１光源から発せられる前記照明光を偏向させる光偏向手段を備え、前記制御手段は前記撮影位置に前記照明光が位置するように前記光偏向手段による偏向動作を制御すると共に，該偏向動作中は前記波面補償部による前記補正を行わないように制御することを特徴とする眼底撮影装置。
【請求項４】
請求項３に記載の眼底撮影装置において、前記制御手段は前記波面補償部による波面収差の検出の停止，又は補正処理の停止、並びに前記第１光源を消灯させる制御の少なくとも一つの制御を実行することにより、前記補正を行わない制御とすることを特徴とする眼底撮影装置。
【請求項５】
請求項４に記載の眼底撮影装置において、
前記制御手段は、前記撮影位置の移動完了後、前記波面補償光学系による波面収差の検出及び補正の処理を再開することを特徴とする眼底撮影装置。
【請求項６】
請求項５に記載の眼底撮影装置において、
前記撮影画像を表示するための表示部とを備えることを特徴とする眼底撮影装置。
【発明の詳細な説明】
【技術分野】
【０００１】
本発明は被検者眼の波面収差を補正した状態で眼底撮影をする眼底撮影装置に関する。
【背景技術】
【０００２】
従来、波面収差を補正した状態で眼底撮影をする眼底撮影装置として、波面補償部により眼の波面収差を取り除いた状態で細胞レベルの高倍率で眼底の第１撮影画像を得る第１撮影ユニットと、第１撮影画像の撮影位置を決めるために，黄斑など眼底の特徴部分が確認出来る画角で眼底の第２撮影画像を得る第２撮影ユニットを備える眼底撮影装置が提案されている（例えば、特許文献１参照）。
【０００３】
このような眼底撮影装置では第１撮影ユニットによる高倍率な撮影を行うために、第２撮影画像上での指定位置に対して局所的に照明光が照射される。眼底からの反射光が波面補償部の波面センサで受光されると、検出された波面収差を取り除くように波面補償部が駆動制御される。これにより細胞レベルの高倍率の眼底画像が第１撮影ユニットによって好適に撮影されるようになる。
【先行技術文献】
【特許文献】
【０００４】
【特許文献１】特開２０１０‐２５９５４３号公報
【発明の概要】
【発明が解決しようとする課題】
【０００５】
眼底の第１撮影画像の撮影位置を変えるとき、第２撮影画像上で第１撮影画像の撮影位置が再指定されると、入力信号に基づき眼底に対する照明光の照射位置が移動されるが、照明光の移動に伴って波面センサで検出される波面収差に乱れが生じ易くなる。この時、波面補償部による波面収差の検出又は補正の処理が継続されていると、撮影位置の移動中に検出される波面収差に対する処理によって、新しい撮影位置で第１撮影画像が安定して撮影されるまでに時間を要してしまう。
【０００６】
また第１撮影画像の撮影位置の移動中は、被検者眼の固視の変化や瞬きなどの影響を受け易い状態になっており、移動中に生じた波面収差の乱れが顕著であると、眼と装置との位置合わせの再設定等の操作が必要となり、検者及び被検者にとって負担となる。
【０００７】
本発明は、上記従来技術の問題点に鑑み、波面収差を補正した状態で眼底撮影をする眼底撮影装置において、効率よく波面収差の補正を行うことができ、指定位置での眼底画像の取得をスムーズに行うことのできる眼底撮影装置を提供することを技術課題とする。
【課題を解決するための手段】
【０００８】
上記課題を解決するために、本発明は以下のような構成を備えることを特徴とする。
【０００９】
（１）  光源から発せられた照明光を被検者眼の眼底に対して照射し、眼底からの反射光を受光素子で受光して眼底の撮影画像を得る撮影光学系と，眼底からの反射光に含まれる波面収差を検出して検出結果に基づき波面収差を補正するための波面補償部とを備える撮影ユニットと、眼底における撮影位置を指定するための指定手段と、該指定手段で指定された撮影位置を撮影するように前記撮影ユニットを制御する制御手段であって，前記指定された撮影位置が撮影可能とされるまでは前記波面補償部による前記補正を行わないように制御する制御手段と、を備えることを特徴とする。
（２）  （１）に記載の眼底撮影装置において、前記撮影ユニットは、第１光源から発せられた照明光を被検者眼の眼底に対して局所的に照射し、前記波面補償部により波面補正された眼底からの反射光を受光素子で受光して眼底の第１撮影画像を細胞レベルで得る第１撮影光学系と、前記眼底上の前記第１撮影画像の撮影位置を指定するために，前記第１撮影画像より広画角の第２撮影画像を撮影する第２撮影光学系と、を含むことを特徴とする。
（３）  （２）に記載の眼底撮影装置は、前記指定手段で指定された撮影位置に合わせて前記第１光源から発せられる前記照明光を偏向させる光偏向手段を備え、前記制御手段は前記撮影位置に前記照明光が位置するように前記光偏向手段による偏向動作を制御すると共に，該偏向動作中は前記波面補償部による前記補正を行わないように制御することを特徴とする。
（４）  （３）に記載の眼底撮影装置において、前記制御手段は前記波面補償部による波面収差の検出の停止，又は補正処理の停止、並びに前記第１光源を消灯させる制御の少なくとも一つの制御を実行することにより、前記補正を行わない制御とすることを特徴とする。
（５）  （４）に記載の眼底撮影装置において、前記制御手段は、前記撮影位置の移動完了後、前記波面補償光学系による波面収差の検出及び補正の処理を再開することを特徴とする。
（６）  （５）に記載の眼底撮影装置において、前記撮影画像を表示するための表示部とを備えることを特徴とする。
【発明の効果】
【００１０】
本発明によれば、高倍率の眼底画像をスムーズに取得できる眼底撮影装置を提供できる。
【発明を実施するための形態】
【００１１】
本発明の実施形態を説明する。図１は眼底撮影装置５００の外観図である。眼底撮影装置５００は、基台５０２、撮影部５０３、顔支持ユニット５０４を備える。基台５０２上に取り付けられた撮影部５０３の内部には後述する光学系が収納される。顔支持ユニット５０４は顎台５０５備え、顎台５０５は駆動手段（図示を略す）の駆動により顔支持ユニット４の基部に対して三次元方向に移動される。
【００１２】
図２に眼底撮影装置５００の光学系の説明図を示す。光学系は被検者眼Ｅの細胞レベルの眼底画像（以下、第１撮影画像と記す）を得る第１撮影ユニット１００、第１撮影画像の撮影位置を指定するために、第１撮影ユニット１００よりも広い画角の眼底画像（以下、第２撮影画像と記す）を得る第２撮影ユニット２００を備える。
【００１３】
第１撮影ユニット１００は共焦点光学系を用いた走査型レーザー検眼鏡の構成とされ、眼Ｅに照明光（照明光束）を照射して眼底を２次元的に照明する第１照明光学系１００ａと、眼底に照射された照明光の反射光（反射光束）を受光して第１撮影画像を得る第１撮影光学系１００ｂ、更に眼Ｅの波面収差を検出して低次収差及び高次収差を取り除く波面補償ユニット１１０を有する。
【００１４】
（第１撮影ユニット）
第１照明光学系１００ａは光源１（第１光源）を備え、光源１から眼底に到る光路に、レンズ２、偏光ビームスプリッタ４、ビームスプリッタ７１、凹面ミラー６、凹面ミラー７、平面ミラー８、波面補償デバイス７２、ビームスプリッタ７５、凹面ミラー１１、凹面ミラー１２、走査部１５、凹面ミラー１６、凹面ミラー１７、を備える。そして、さらに、平面ミラー２１、レンズ２２、平面ミラー２３、視度補正部１０、平面ミラー２５、凹面ミラー２６、偏向部４００、ダイクロイックミラー９０、凹面ミラー３１、平面ミラー３２、平面ミラー３３、凹面ミラー３５が配置されている。
【００１５】
第１照明光学系１００ａの構成を説明すると、光源１は、被検者眼に視認されにくい近赤外から赤外域で眼底を照明する周知の赤外光源であり、例えば、波長８４０ｎｍのＳＬＤ（Super Luminescent Diode）光源や、収束性の高いスポット光を出射する半導体レーザー等が用いられる。
【００１６】
偏光ビームスプリッタ４は、光源１からの照射光のうちＳ偏光成分の光束を通過しその他（Ｐ偏向成分など）の光束を遮光する。ビームスプリッタ７１は、光源１の波長の光を透過し、後述する収差検出用光源７６の波長の光を反射する特性を持つ。
【００１７】
波面補償デバイス７２は、後述する波面センサ７３で検出された眼底反射光に含まれる収差を除去するように制御される。
なお波面補償デバイス７２は、例えば、液晶空間位相変調器とし、反射型のＬＣＯＳ（Liquid Crystal On Silicon）等が用いられる。波面補償デバイス７２は、光源１からの照明光（Ｓ偏光光）、照明光の眼底での反射光（Ｓ偏光光）、波面収差検出用光の反射光（Ｓ偏光成分）等の所定の直線偏光（Ｓ偏光）に対して収差を補償することが可能な向きに配置されており、波面補償デバイス７２は入射光のＳ偏光成分を変調する。また波面補償デバイス７２は、その液晶層内の液晶分子の配列方向が入射する反射光の偏光面と略平行であり、さらに液晶分子が液晶層への印加電圧の変化に応じて回転する所定の面が、波面補償デバイス７２に対する眼底からの反射光の入射光軸及び反射光軸と波面補償デバイス７２が持つミラー層の法線とを含む平面に対して略平行になるように配置されている。
【００１８】
なおここでは、波面補償デバイス７２を液晶変調素子とし、反射型のＬＣＯＳ（Liquid Crystal On Silicon）等を用いているが、反射型の波面補償デバイスであれば良く、例えば、ＭＥＭＳ（Micro Electro Mechanical Systems）の一形態のデフォーマブルミラーが用いられても良い。また反射型の波面補償デバイス以外にも、眼底からの反射光を透過して波面収差を補償する透過型の波面補償デバイスを用いても良い。
【００１９】
走査部１５は、光源１から照射された照明光（スポット光）を偏向させて眼底上で一次元方向に走査する構成とされ、本実施形態では照明光の照射位置を眼底で水平方向（Ｘ方向）に偏向させるレゾナントミラーと、レゾナントミラーを駆動する駆動部から構成される。
【００２０】
眼Ｅの視度補正のために光路長を変える視度補正部１０は、ここでは２枚の平面ミラーと２つのレンズ（図番号を略す）、駆動部１０ａで構成されており、駆動部１０ａの駆動で平面ミラー及びレンズが矢印Ａ方向に移動されることで、光路長が変更され視度が補正される。これ以外にも視度補正部１０には平面ミラーとレンズに変えて光軸方向に移動可能なプリズムを用いることもできる。
【００２１】
偏向部４００は、走査部１５を経た照明光を水平方向及び垂直方向に偏向させる役目を持ち、本実施形態ではＸ方向及びＹ方向に走査するための２枚のガルバノミラーで構成されている。偏向部４００がＸＹ方向に偏向されることで第１光源からの照明光の照射位置が眼底上で二次元方向に移動される。
【００２２】
ダイクロイックミラー９０は、第２撮影ユニット２００等の光路を第１照明光学系１００ａと略同軸にする。ダイクロイックミラー９０は、第２撮影ユニット２００からの光束を透過させ、光源１及び後述する光源７６からの光束を反射する特性を有する。
【００２３】
以上のような構成により、光源１から出射された照明光は、レンズ２で平行光とされた後、偏光ビームスプリッタ４を経て、ビームスプリッタ７１、凹面ミラー６から平面ミラー８で反射され、波面補償デバイス７２に入射する。波面補償デバイス７２に反射された照明光は、ビームスプリッタ７５を介し、凹面ミラー１１、１２で反射されて走査部１５に入射される。
【００２４】
走査部１５で反射された照明光は、凹面ミラー１６から平面ミラー２１で反射され、レンズ２２に集光された後、平面ミラー２３で反射され、更に視度補正部１０を介して、平面ミラー２５、凹面ミラー２６で反射されて、偏向部４００に入射される。偏向部４００で反射された照明光は、ダイクロイックミラー９０から凹面ミラー３５で反射されて、眼Ｅの眼底に集光する。この状態で走査部１５及び偏向部４００の偏向動作が駆動制御されることで、照明光による眼底の２次元走査が行われる。
【００２５】
第１撮影光学系１００ｂは、第１照明光学系１００ａのダイクロイックミラー９０からビームスプリッタ７１までの光路を共通とし、更にビームスプリッタ７１の反射光路上に平面ミラー５１、偏光ビームスプリッタ５２、レンズ５３、ピンホール板５４、レンズ５５、受光素子５６が配置されている。
【００２６】
偏光ビームスプリッタ５２はＳ偏光成分の光束のみを通過しその他（Ｐ偏向成分など）の光束を遮光する。ピンホール板５４は眼底と共役位置に置かれる。受光素子５６にはＡＰＤ（アバランシェフォトダイオード）が用いられるとする。これ以外にも受光素子５６にはＰＭＴ（Photomultiplier Tube）や光電子倍増管等を用いることもできる。
【００２７】
光源１からの照明光による眼底からの反射光は、第１照明光学系１００ａを逆に辿り、ビームスプリッタ７１、平面ミラー５１で反射され、偏光ビームスプリッタ５２でＳ偏光成分の光束だけ透過される。偏光ビームスプリッタ５２を透過した光束は、レンズ５３を介してピンホール板５４のピンホールに焦点を結び、レンズ５５を経て受光素子５６で受光される。
【００２８】
なお、角膜からの反射光はピンホール板５４によって大部分が除去される。これにより角膜反射光による画像への影響が抑えられ、受光素子５６で眼底からの反射光が好適に受光される。以上のような第１撮影光学系１００ｂによる眼底画像の撮影画角は、例えば１度から５度程度であるとする。
【００２９】
第１照明光学系１００ａと光路を一部共用する波面補償部１１０は、光源７６、レンズ７７、偏光ビームスプリッタ７８、ビームスプリッタ７５、７１、ダイクロイックミラー８６、偏光板８５、レンズ８４、平面ミラー８３、レンズ８２、波面センサ７３を含む。つまり波面補償部１１０は、第１照明光学系１００ａの光路に置かれるビームスプリッタ７１から凹面ミラー３５までの光学部材を共用する。
【００３０】
波面補償部１１０の構成を説明する。光源７６には、光源１とは異なる赤外域の光束を発するレーザダイオードが用いられる。例えば本実施形態では波長７８０ｎｍのレーザー光を出射する光線７６が使用される。なお第１光源１と収差検出用の光源７６は併用されても良い。
【００３１】
偏光ビームスプリッタ（第１偏光手段）７８は、光源７６からの光束を、偏光ビームスプリッタ４でＳ偏光された光源１からの光束に直交するＰ偏光の光束に偏光する。
ビームスプリッタ７５は、波面補償部１１０の光束を第１照明光学系の光路に導く。ビームスプリッタ７１は、光源１の波長の光（８４０ｎｍ）を透過し、収差検出用の光源７６の波長光（７８０ｎｍ）を反射する特性を持つ。これにより波面センサ７３は、照射されたレーザー光による眼底からの散乱光のうちＳ偏光成分を持つ光を検出する。ダイクロイックミラー８６は、光源１の波長の光（８４０ｎｍ）を透過し、収差検出用の光源７６の波長光（７８０ｎｍ）を反射する。偏光板（第２偏光手段）８５は、光源７６から眼Ｅに照射された偏光方向の光束（Ｐ偏光光）を遮断し、この偏光方向に直交する偏光方向の光束（Ｓ偏光光）を透過する。
【００３２】
波面センサ７３は、被検者眼の反射光に含まれる低次収差及び高次収差を検知するものが用いられる。例えば多数のマイクロレンズからなるマイクロレンズアレイと、マイクロレンズアレイを透過した光束を受光させるための二次元撮像素子７３ａ（２次元受光素子）から構成される。また収差検出用の光源７６（第３光源）は、光源１とは異なる赤外帯域の光束を発するものが選択される。例えば本実施形態では、波長７８０ｎｍのレーザー光を出射するレーザダイオードが用いられており、光源７６の出射端は眼底と共役関係とされる。なお波面センサ７３には、ハルトマンシャック検出器や光強度の変化を検出する波面曲率センサ等を用いることができる。
なお走査部１５、波面補償デバイス７２の反射面、波面センサ７３の受光面は眼Ｅの眼底と略共役とされる。
【００３３】
光源７６から出射されたレーザー光は、レンズ７７で平行光とされた後、偏光ビームスプリッタ７８で光源１からの照明光と直交する偏光方向（Ｐ偏光）とされ、ビームスプリッタ７５で第１照明光学系１００ａの光路に導かれる。
【００３４】
ビームスプリッタ７５で反射したレーザー光は、第１照明光学系１００ａの光路を経て眼底に集光される。眼底からの反射光は、第１照明光学系１００ａの各光学部材を経て波面補償デバイス７２で反射され、ビームスプリッタ７１により第１照明光学系１００ａの光路から外され、ダイクロイックミラー８６で反射された後、偏光板８５、レンズ８４、平面ミラー８３、レンズ８２を経て波面センサ７３へと導かれる。これにより波面センサ７３では眼底からの散乱光のうちＳ偏光成分を持つ光が検出され、角膜や光学素子で反射された光束が、波面センサ７３で検出されることが抑えられる。
【００３５】
以上のような波面補償部（補償光学系）１１０によって、波面センサ７３で検出された光源７６の眼底反射光の波面収差に基づいて、波面補償デバイス７２が制御され、光源７６の反射光のＳ偏光成分と共に、光源１から出射される照明光とその反射光の波面収差が取り除かれる。これにより眼Ｅの波面収差が取り除かれた（波面補償された）高解像度の第１撮影画像が得られる。つまり第１撮影画像の１画像を構築する画素数が、従来の広画角（例えば４０度程度）の眼底画像と同程度となるように照明光の走査を行い、さらに波面補償を行うことで、狭画角（１．５度程度）でありながら細胞レベルまで観察できる高解像度・高倍率な眼底画像が得られるようになる。
【００３６】
（第２撮影ユニット）
第２撮影ユニットは、第１撮影ユニットの画角よりも広画角の眼底画像（第２撮影画像）を得る。得られた第２撮影画像は第１撮影画像の撮影位置の指定、撮影位置の確認用に用いられる。第２撮影画像を取得する第２撮影ユニット２００は、眼Ｅの眼底画像を観察用として広画角（例えば２０度〜６０度程度）でリアルタイムに取得できればよく、既存の眼底カメラの観察・撮影光学系や走査型レーザー検眼鏡（Scanning Laser Ophthalmoscope：ＳＬＯ）の光学系、及び制御系等が用いられる。ここでは説明の簡便のため第２撮影ユニット２００の構成はブロック図で示す。
【００３７】
第２撮影ユニット２００は、眼Ｅに照明光を照射し眼底を２次元的に照明する第２照明光学系と、眼底からの反射光を受光して第２撮影画像を撮像する第２撮影光学系から構成される。
第２照明光学系は、眼底を赤外光で照明する第２光源２１０、照明光を眼底上で２次元的に走査する走査部２２０等を備える。第２光源２１０には、例えば９１０ｎｍの波長のレーザー光を出射するレーザダイオードが用いられる。走査部２２０は、Ｘ及びＹ方向の二次元方向にレーザー光を偏向（反射）するミラーを備える。なお第２撮影ユニット２００による眼底画像の撮影画角が第１撮影ユニット１００の画角より大きくなるように走査部２２０のミラーの振れ角が決定される。例えば、第２撮影画像によって眼底の特徴部を取得するために、黄斑部や乳頭を同時に撮影できる程度の画角を持つ構成とされる場合、画角は２０〜６０度程度とされる。第２撮影光学系は、眼底からの反射光を受光する受光素子２５１等を備える。
【００３８】
以上のような第２撮影ユニット２００の光路はダイクロイックミラー９０によって第１撮影ユニット１００と略同軸にされ、第２光源２１０からの光束は、ダイクロイックミラー９０から平面ミラー３３を経て眼底に集光される。眼底に投影された光束は走査部２２０の駆動により眼底の広い範囲で２次元的に走査される。眼底からの反射光は平面ミラー３３からダイクロイックミラー９０までの光路を逆に経て、第２撮影光学系２００ｂの受光素子２５１で受光される。これにより、第１撮影ユニット１００の撮影の位置指定などに用いられる第２撮影画像が取得される。
【００３９】
なお、本実施形態では走査部２２０を用いて照明光を２次元的に走査して眼底を照明している。これ以外にも、例えばライン状のスリット光をラインと直交する方向に走査して眼底照明しても良く、ホールミラー等を用いた既存の眼底カメラの照明光学系にて眼底全体が一度に照明されても良い。
なお、上記の光学系に、眼Ｅの固視微動等による位置ずれの経時変化を検出して移動位置情報を得る周知のトラッキング用ユニット（位置検出部）が設けられても良い。
【００４０】
次に眼底撮影装置の制御系を説明する。図３は制御系のブロック図である。制御部８０には上述の光学系の各構成（又は各構成を駆動させるための図示を略す駆動部）が接続される他、記憶部８１、指定手段となるコントロール部９２、モニタ７０などが接続される。そして制御部８０は、装置のアライメント動作、撮影動作、波面補償動作、トラッキング動作等の各種制御をする。
【００４１】
また本実施形態の制御部８０は、第２撮影画像上で第１撮影画像の撮影位置を変える間に発生する波面収差の変化の影響を抑えるため、第１撮影画像の撮影位置が移動される間は、波面補償部１１０による波面収差の補正の処理を一旦停止させると共に、波面補償部１１０の状態を、第１撮影画像の撮影位置が移動される前の状態に保持させる。これによりモニタ７０上での第１眼底画像の表示状態の乱れを抑えると共に、不要な波面補償の処理が行われないようにすることで、第１撮影画像の撮影動作がスムーズに継続されるようにする。第１撮影画像の撮影位置を移動させる際の制御部８０の動作制御の詳細な説明は後述する。
【００４２】
記憶部８１には、装置の動作に必要となる各種プログラムの他、コントロール部９２による入力情報、取得された撮影情報（第１撮影画像及び第２撮影画像）など各種情報が記憶される。
コントロール部９２は、各種入力操作に用いられる。例えば、検者が細胞レベルの第１撮影画像の撮影位置を第２撮影画像上で指定する位置指定等に用いられる。コントロール部９２としては、モニタ７０に設置されるタッチパネル、マウス等、スイッチ等の周知の入力部材が用いられる。
【００４３】
モニタ７０には、制御部８０による受光素子５６、２５１の受光信号に基づき、画角の異なる眼底画像（つまり第１撮影画像及び第２撮影画像）が形成される。例えばモニタ７０には所定のフレームレート（例えば１０〜１００Ｈｚ程度）で更新される眼底画像（第１撮影画像、及び第２撮影画像）が動画表示される他、記憶部８１に記憶された眼底画像又は受光素子５６、２５１から直接取得された眼底画像が静止画表示される。
【００４４】
次に以上のような構成を備える眼底撮影装置の動作を説明する。図４はモニタ７０の表示画面の例である。
検者は固視灯（図示を略す）で眼Ｅを固視させた状態で、コントロール部９２の操作で視度補正部１０を駆動させて眼Ｅの視度補正をする。また第２撮影ユニット２００で撮影されモニタ７０上の所定領域に表示された第２撮影画像７０ｂを確認しながらアライメントを完了させる。
【００４５】
アライメント完了後、制御部８０は光源７６、走査部１５、波面補償デバイス７２、波面センサ７３の駆動により眼Ｅの波面収差の検出及び補正を開始すると共に、図４（ａ）に示されるように、第２撮影画像７０ｂ上（観察画像枠内）の第１撮影画像７０ａの撮影箇所に対応する位置にマークＭを形成する。これにより第１撮影画像７０ａが第２撮影画像７０ｂ上のどの位置での拡大画像であるかが視覚的に示される。なお、ここでは初期状態として第２撮影ユニットの光軸（主光軸）を中心として所定画角（ここでは１．５度）の範囲が第１撮影画像７０ａの撮影位置に対応されている。
【００４６】
図４（ｂ）に示されるように、コントロール部９２の操作で第２撮影画像７０ｂ上での第１撮影画像の撮影位置が指定されると、制御部８０は入力信号に基づき偏向部４００のＸ方向及びＹ方向の傾斜角度を変えて、光源１からの照明光が指定された第１撮影画像の撮影位置に対応する眼底上の位置に照射されるようにする。
また制御部８０は、波面センサ７３で検出される光学分布（受光信号）から得られる結果に基づいて波面補償光学系１１０を動的に制御する。ここでは波面補償デバイス７２が持つ液晶パネル（液晶層）によって、眼底からの反射光の回折像の拡がり具合が最小となるように、その液晶パネルの液晶分子が電圧制御で配列方向が変えられることで、位相分布を制御する。
【００４７】
以上のような波面収差の補正の完了が制御部８０で検知されると、制御部８０は第１撮影画像の撮影を開始する。制御部８０は波面センサ７３の信号（受光結果）に基づき、光源１、受光素子５６を駆動する。光源１から出射された照明光は偏光ビームスプリッタ４でＳ偏光とされ、波面補償デバイス７２で変調される。そして走査部１５による偏向で２次元的に走査され、眼底に集光される。
【００４８】
眼底に集光された照明光の反射光は、走査部１５を介して光路を逆に辿り、波面補償デバイス７２の変調を受け、ビームスプリッタ７１で反射（偏向）されて第１撮影光学系１００ｂに導かれる。反射光は、偏光ビームスプリッタ５２を介し、レンズ５３でピンホール板５４のピンホールに集光され、レンズ５５を介して受光素子５６に入射される。受光素子５６の受光結果に基づき、制御部８０は、図４（ｂ）に示されるように、モニタ７０に第２撮影画像７０ｂと第１撮影画像７０ａとを並べて表示する。
なお、第２撮影画像７０ｂは眼底の広い範囲を表示する観察画像であるのに対し、第２撮影画像７０ａは狭い画角であり、細胞レベルの観察が行える高倍率な眼底画像が動画表示される。
【００４９】
第２撮影画像７０ｂにおける異なる領域（撮影箇所）を観察したい場合は、図４（ｃ）に示されるように、コントロール部９２の操作で、第２撮影画像７０ｂ上に表示されたマークＭを適宜移動させる。なおカーソルをモニタ７０に表示させ、カーソルにてマークＭが適宜移動される構成としてもよい。
また第２撮影画像７０ｂにおいて、第１撮影画像７０ａの撮影が完了した領域（マークＭが表示されていた範囲）の表示状態を変えることで、第２撮影画像７０ｂ上で第１撮影画像７０ａの撮影の完了を視覚的に分かり易く示しても良い。
【００５０】
以上のようにして、異なる第１撮影画像の撮影位置が指定されると、制御部８０は新しく指定された第１撮影画像の撮影位置に対応する偏向部４００の条件を求め、偏向部４００の駆動制御をする。
ここで第１撮影画像の撮影位置を移動させる際の制御部８０の処理を詳しく説明する。図５は制御部８０の動作制御の説明図である。時間ｔ１で、コントロール部９２の操作により第１撮影画像７０ａの撮影位置が新たに指定されると、制御部８０は波面補償部７２の状態を保持させると共に、波面補償光学系１１０による波面収差の補正の処理を一旦停止させる（制御部８０は閉ループの処理を開ループの処理に切り換える）。具体的には、制御部８０は、波面センサ７３による波面収差の検出を停止させるか、波面センサ７３で検出される波面収差の補正処理を波面補償部７２が行わないように設定する。又は両方の処理が行われるようにする。
【００５１】
この状態で、制御部８０は、光源１からの照明光の照射位置を、新しく指定された第１撮影画像の撮影位置に対応する眼底上の位置に合わせるため、偏向部４００の動作制御によりその二次元方向の走査角度を調節する。このとき偏向部４００のＸ方向とＹ方向の傾斜が個別に制御されることで、眼底への照明光の照射範囲に変化が生じると、波面収差の状態に乱れが生じてしまう。また第１撮影画像の撮影位置の移動中は、被検者眼の固視微動又は瞬きの影響を受けやすくなっており、これが原因で波面収差の状態が更に乱れると、眼Ｅと装置の位置合わせの再設定が必要となる場合がある。
【００５２】
一方、本実施形態では、第１撮影画像７０ａの撮影位置の移動中は、波面収差の検出又は補正が一旦停止されると共に、第１撮影画像７０ａが移動される直前の波面補償部１１０の状態に基づく処理が行われる。その為、撮影位置の移動中もモニタ７０に第１撮影画像が好適に表示されるだけでなく、移動中に生じた波面収差に基づく処理が行われない為、新しく指定された位置で第１撮影画像の撮影がスムーズに開始されるようになる。
【００５３】
そして、時間ｔ２で、偏向部４００の動作制御による走査角度の変更により、照明光の照射位置が指定された撮影位置に合わせられたことが検知されると、制御部８０は、波面補償部１１０による波面収差の検出と補正の処理を再開させる（制御部８０は開ループの処理を閉ループの処理に切り換える）。
【００５４】
波面補償部１１０による波面収差の検出及び補正の処理が開始されると、上述と同じく、波面センサ７３による波面収差の検出結果に基づき波面補償部７２による波面収差の補正が行われる。この時、新しい撮影位置で検出された波面収差に基づく補正のみが行われるので（移動中に生じる波面収差の変化に対する処理が行われないため）、モニタ７０上に第１撮影画像７０ａが遅延時間無く好適に表示されるようになる。
【００５５】
なお、時間ｔ２で、偏向部４００の動作制御が完了したことを示す信号が検知されてから所定時間（例えば２秒）経過後に、波面補償部１１０による波面収差の検出と補正の処理が開始されても良い。また、第１撮影画像の撮影位置の移動が完了してから、波面補償部１１０による波面収差の検出が再開されるまでの時間がコントロール部９２等の操作で任意に設定されても良い。
【００５６】
以上のような処理が繰り返し行われることで、第２撮影画像上の異なる位置で第１撮影画像が複数箇所撮影されて記憶部８１に記憶される。なお、記憶部８１に記憶された複数箇所の第１撮影画像は、所定の画像処理により繋ぎ合わせられて一つの高倍率の撮影画像としてモニタ７０に表示される。
【００５７】
なお、第１撮影画像の撮影位置の移動中（時間ｔ１から時間ｔ２の間）は光源１からのレーザー光の照射が停止されても良い。このようにすると患者に対して不要な照明光が照射されないことで、その負担が抑えられるようになる。なお、光源１の消灯と点灯の制御は、図５に示されるように、制御部８０による偏向部４００等の駆動制御と連動して行われる。
【００５８】
更に上記では検者によるコントロール部９２の操作にて第１撮影画像の撮影位置が個別に設定される例を示した。これ以外にもコントロール部９２の操作で、第１撮影画像の撮影位置が第２撮影画像７０ｂ上で予め複数箇所指定された状態で、自動的に第１撮影画像の撮影位置が順次切り換えられるようにしても良い。この場合にも、制御部８０による第１撮影画像の撮影位置の移動開始と完了の駆動制御に連動させて、波面補償部１１０による波面収差の検知又は補正の処理の停止（開ループ処理）及び再開（閉ループ処理）が制御される。
【００５９】
更には、記憶部８１に記憶されているプログラムに基づき、制御部８０によって第２撮影画像７０ｂ上で第１撮影画像７０ａの撮影位置が自動的に切り換えられる（移動される）ようにしても良い。例えば、第２眼底画像７０ｂ上で第１撮影画像の撮影位置が連続して切り換えられるようにする。この場合にも、制御部８０は第１撮影画像７０ａの撮影位置の移動開始と完了を検出して、第１撮影画像７０ａの撮影位置の移動中には、波面補償光学系１１０による波面収差の検出又は補正を停止させる。つまり制御部８０は偏向部４００の駆動制御により第１撮影画像の撮影位置を移動させる間は、波面補償部１１０による補正を行わないように制御する。このようにすると、検者はコントロール部９２の操作で第１撮影画像の撮影位置を選択する手間が軽減される。また、細胞レベルの眼底画像を広い画角で簡単に得ることが出来るようになる。
【００６０】
なお、上記では眼底の正面像を撮影する例を示した。これ以外にも波面収差を補正するための波面補償部を備え、撮影位置を切り換える場合に本発明の構成が適用されると、指定位置での眼底画像がスムーズに取得されるようになる。
【００６１】
例えば、眼球や皮膚などの生体の断層像を撮影する光断層像撮影装置に本発明の構成が適用されることで、断層像の撮影位置を変える際に生じる波面収差の影響を抑えてスムーズに複数箇所での断層像の撮影を行うことができるようになる。なお、光断層撮影装置としては、光源から出射された光束を測定光束と参照光束に分割し、測定光束を被検物に導き，参照光束を参照光学系に導いた後、被検物で反射した測定光束と参照光束との合成により得られる干渉光を受光素子に受光させる干渉光学系を持ち、被検物の断層像を撮影する構成のＯＣＴ（Optical Coherence Tomography等が挙げられる。
【図面の簡単な説明】
【００６２】
【図１】眼底撮影装置の外観図である。
【図２】眼底撮影装置の光学系の説明図である。
【図３】制御系のブロック図である。
【図４】モニタの表示画面の例である。
【図５】制御部の動作制御の説明図である。
【符号の説明】
【００６３】
１、７６  光源
１５  走査部
７２  波面補償デバイス
７３  波面センサ
８０  制御部
１００  第１撮影ユニット
１００ａ  第１照明光学系
１００ｂ  第１撮影光学系
１１０  波面補償部
２００  第２撮影ユニット
４００  偏向部
【図１】
2013154063.tif 000003
【図２】
2013154063.tif 000004
【図３】
2013154063.tif 000005
【図４】
2013154063.tif 000006
【図５】
2013154063.tif 000007